(57)【要約】      （修正有）【課題】毛髪に使用するカラー剤を、店舗中央部位置近くに色調別、明度別など、系統的に収納できるようにし、施術位置近くのディスプレイ棚から容易に選択できるようにすると同時に客に調合作業を見せることにより施術に対する安心感を与え、さらに施術者の作業動線を効率化したカラー剤のディスプレイ兼収納ユニットを提供する。【解決手段】カラー剤を収納するディスプレイ棚１を美・理容室の天井部近くに支持し、そのディスプレイ棚の直下に使いかけカラー剤を引掛けるハンガー４を設け、さらにカラー剤の調合作業を行う調合作業スペース２を挟んでその下方に調合作業用カウンターテーブル３を設ける。ディスプレイ棚１は、少なくとも客と施術者が同時に容易に視認できる店舗中央部でかつ施術位置近くに設置した。【選択図】図２
2005143781.tif 000002
【特許請求の範囲】
【請求項１】
ヘヤカラーリング剤を収納するディスプレイ棚を美・理容室の施術スペースの天井部近くに支持し、そのディスプレイ棚の直下に使いかけヘヤカラーリング剤を引掛けるハンガーを設けると共に、調合作業を行う調合作業スペースを挟んでその下方に調合作業用カウンターテーブルを設置したことを特徴とする美・理容室用ディスプレイ兼収納ユニット。
【請求項２】
前記ディスプレイ棚は、少なくとも美・理容店舗内の客と施術者が同時に、容易に視認できる場所に設置され、かつヘヤカラーリング剤を色調別、明度別及び／又は製造メーカー別に、系統的に多数個集積収納できる開放タイプの前後一対の箱体であって、該前後一対の箱体の間に脱臭用の排気ダクトが設けられていることを特徴とする請求項１に記載したディスプレイ兼収納ユニット。
【請求項３】
前記カウンターテーブルは、上部のワークトップに少なくとも流しと湯水混合栓とダストシュート口とが設けられていることを特徴とする請求項１または２のいずれか一項に記載したディスプレイ兼収納ユニット。
【請求項４】
前記カウンターテーブルは、ワークトップ周縁部に水切を兼ねる滑り止め突部が形成され、ワークトップ下方には、調合用ボール、くし、はけ、グローブ等の調合道具類の収納キャビネットが設けられていることを特徴とする請求項１から請求項３のいずれか一項に記載したディスプレイ兼収納ユニット。
【発明の詳細な説明】
【技術分野】
【０００１】
本発明は、美・理容室等で、毛髪にヘヤカラーリングを行う際に使用するディスプレイ兼収納ユニットに関する。
【背景技術】
【０００２】
近年、ファッションのために頭髪をさまざまな色調にすることが多くなっている。毛髪の色を変える施術（ヘヤマニキュア，ヘヤカラー、ブリーチなどを含む）を行う美・理容室等においては、施術用スペースの壁面に設置された鏡、その壁面近くに設置された施術用椅子、洗髪用流し台、施術用テーブル・ワゴンなどと共に、染毛剤や染毛料等（以下単にカラー剤と略すことがある）の収納庫、調合用テーブルと調合作業を行うスペース、調合用ボール、くし、はけ、はさみ、グローブ（ビニール手袋）等の道具類の収納キャビネットが限られた店舗空間の中に設置されている。施術者はその限られた空間の中で客と応接しながら、客の好みに合い、かつ客の毛髪に適したカラー剤を収納庫から幾つか選択し、そのカラー剤をブレンドして頭髪にカラーリングする。
【０００３】
従来一般に美・理容室等においては、店舗内をくつろいだ心地の良い空間とすること、店舗内のインテリアをすっきりさせることを目的に、施術で使用される多量のカラー剤の収納庫や調合作業を行うスペース等は、客から見えない場所、すなわちバックヤード（商品置場）や準備室などに設置して、使用するカラー剤の選択やその配合作業は客の目の前で行われていなかった。そのため、施術者が使用するカラー剤がどのように選択され、どのように調合されているかは客自身にはわからなかった。そのため客側は施術者に対し疑心を生ずることがあり、安心感に欠けるものであった。一方、施術者は、客に提示をする色サンプルや使用商品（カラー剤）の説明が長くなってしまうことがあり、或いは説明不足を生じ勝ちであった。また、使用するカラー剤を商品置場に取りに行ったり、別室で調合をする必要があったので、施術者の作業動線が長くなり、施術者の作業効率が悪いものとなっていた。
【発明の開示】
【発明が解決しようとする課題】
【０００４】
本発明の目的は、施術に使用するカラー剤を、美・理容店舗内の客と施術者とが同時に容易に視認できる店舗中央の施術位置近くに、色調別、明度別及び／又は製造メーカー別等に、系統的かつ見栄えよく陳列・収納して、施術に必要とするカラー剤を遠くの場所に取りにいかなくとも、施術位置近くにディスプレイされている棚から取出して調合することでカラー剤の調合作業の密室性を排除して客と施術者がカラー剤を収納棚から選ぶ際に容易に理解選択できるようにすると共に、客にはカラー剤の調合作業を見せることにより施術に対する安心感を与え、一方、調合する者には客が見ていることによって緊張感を与え、また調合作業時の作業動線を短くし手際よく作業を行えるようにすることである。
【０００５】
また本発明のディスプレイ兼収納ユニットは、美・理容室の中央の間仕切りを兼ねると同時に、対面使用することが可能な作業台（ワークテーブル）として用いることができるようにして、店舗にゆとりと高級感を付与することである。
【０００６】
本発明のさらに別の目的は、施術者が使いかけのカラー剤は、ディスプレイ棚の直下に底部を上にして吊下げ保持することで、次回使うときの使用効率を高めかつワークトップを広く使えるようになし、またカラー剤の無駄使いをなくし、或いは選択間違いを少なくすることで施術者の作業効率性を高めるようにすることである。
【課題を解決するための手段】
【０００７】
上記課題を解決するために、本発明は次のような構造のディスプレイ兼収納ユニットの構造を提案するものである。
すなわち本発明者が提案する第１の発明は、カラー剤を収納するディスプレイ棚を美・理容室の施術スペースの天井部近くに支持し、そのディスプレイ棚の直下に使いかけカラー剤を引掛けるハンガーを設けると共に、調合作業を行う調合作業スペースを挟んでその下方に、調合作業用カウンターテーブルを設置したことを特徴とする美・理容室用ディスプレイ兼収納ユニットである。
【０００８】
第２の発明は、前記ディスプレイ棚は、少なくとも美・理容店舗内の客と施術者とが同時に、容易に視認できる店舗の中央部近くに設置し、かつヘヤカラーリング剤を色調別、明度別及び／又は製造メーカー別に、系統的に多数個集積収納できる開放タイプの前後一対の箱体であって、該前後一対の箱体の間には脱臭用の排気ダクトが設けられていることを特徴とする第１の発明に記載したディスプレイ兼収納ユニットである。
【０００９】
第３の発明は、前記カウンターテーブルは、上部のワークトップに少なくとも流しと湯水混合栓とダストシュート口が設けられていることを特徴とする第１または第２の発明のいずれかに記載したディスプレイ兼収納ユニットである。
【００１０】
第４の発明は、前記カウンターテーブルは、ワークトップ周縁部に水切りを兼ねる滑り止め突部が形成され、ワークトップ下方には、調合用ボール、くし、はけ、グローブ等の調合道具類の収納用キャビネットが設けられていることを特徴とする第１の発明から第３の発明のいずれか１に記載したディスプレイ兼収納ユニットである。
【発明の効果】
【００１１】
本発明のディスプレイ兼収納ユニットは、カラー剤を収納するディスプレイ棚を美・理容室の施術スペースの天井部から吊持し、そのディスプレイ棚の直下に使いかけカラー剤を引掛けるハンガーを設けると共に、調合作業を行う調合作業スペースを挟んでその下方に、調合作業用カウンターテーブルを設置しているから、施術に必要とするカラー剤を遠くの商品置場や準備室などに取りにいかなくとも、店舗中央の施術位置近くにディスプレイされている棚から取出して調合することができる。従って、調合作業の密室性が排除されて、客と施術者がカラー剤を選ぶ際、カラーサンプルがなくともディスプレイ棚から直接容易に理解選択できる。さらに、客には調合作業を見せることにより施術に対する安心感を与えられ、一方、調合する者には客が見ていることによって作業に緊張感を与えられる。また作業者の作業動線を短くして手際よく作業が行える。
【００１２】
本発明のユニットは、美・理容室の間仕切りを兼ねると同時に対面使用することが可能作業台（ワークテーブル）として用いることができるとともに、カラー剤の調合時に発生する臭気を排気ダクトから店外に強制排気できるから、店舗の雰囲気を乱すことなく高級感を付与することができ、また店舗内インテリアの設置にゆとりを与えることが可能である。
【００１３】
また、施術者が使いかけのカラー剤は、ディスプレイ棚下のハンガーに底部を常に上にして吊下げ保持することができるので、次回使うときの使い勝手が向上し、かつワークトップ上を広く使うことができる。またカラーリング剤の無駄使いをなくし、カラー剤の選択間違いを少なくすることで施術者の作業効率性を高まるものである。
【００１４】
さらに、ディスプレイ棚直下にカラー剤の調合作業スペースとカウンターテーブルが設けられ、上部のワークトップに少なくとも流しと湯水混合栓とダストシュート口が設けられ、ワークトップ周縁部に水切りを兼ねるすべり止め部が形成され、ワークトップ下方には、調合用ボール、くし、はけ、グローブ等の調合道具類の収納用キャビネットが設けられているので、道具類の整理整頓も効率良くおこなうことができる。そして、美・理容室等で、カラーリングを行うときの一連の作業をすべて施術位置近くで、遠くの場所に移動することなく行うことができる。
【発明を実施するための最良の形態】
【００１５】
次にこの発明の実施の形態を図面に基づいて詳細に説明する。図１は、発明の一実施形態を示すものであり、毛髪の色を変える施術スペースに設け、対面方式で前後両面から使用することが可能なディスプレイ兼収納ユニットである。図２に示すように店舗の天井部からディスプレイ棚１を吊下げ、そのディスプレイ棚の直下にカラー剤の調合作業を行う調合作業スペース２と、調合作業用カウンターテーブル３と、前記ディスプレイ棚下面に使いかけカラー剤を引掛けるハンガー４とが設けられている。
【実施例】
【００１６】
ディスプレイ棚１は、客と施術者が同時に容易に視認できるように、店舗中央部の施術スペースの天井部５から支持フレーム６を介して所定の高さに吊持されている。この棚１は前面に開閉できる戸を有せず、内部に商品（チューブ容器入りカラー剤）を多数個集積できるようにしてなり、収納した商品が常に客と施術者に容易に視認できるようになっている。
図示のディスプレイ棚１は、両面が開放された横長の箱体であって、一例として上下２段で前後一体に組み合わされた複数のボックスから構成されている。前後一対の箱体１ａ，１ｂ間には脱臭用の排気ダクト１５を設け、上部に脱臭ファン（図略）を設けて薬剤の調合時に発生する刺激の強い臭気を外に強制排出できるように構成されている。また該箱体には照明ライト７が取付けられて、後述のワークトップを照明するようになっている。
【００１７】
ディスプレイ棚１の真下には、使いかけカラー剤を引掛けるハンガー４が設けられている。このハンガー４は、ディスプレイ棚の間口幅一杯に設けられている。また図示のハンガー４は、前後箱体間にほぼ水平に垂下されたパイプラック等で構成されているが、パイプラックに代え、後述するようにクリップやフックを設けることができる。使いかけカラー剤のチューブの底を絞って折り曲げた後、前述したハンガー４に、チューブの底部を上にして吊下げ保持することで（図５参照）、使用中であることを容易に認識し、かつワークトップを広く使えるものである。
【００１８】
また、ディスプレイ棚１の直下には、前記ディスプレイ棚とほぼ同じ間口幅をもった調合作業用カウンターテーブル３が設置され、このカウンターテーブル３とディスプレイ棚１との間に、カラー剤の調合作業を行う調合作業スペース２が形成されている。カウンターテーブル３の上部には、少なくとも調合道具類の洗浄に使用する流し８と湯水混合栓９とダストシュート口１０を有するワークトップが設けられ、これらはいずれもランプ７により照明されるように構成している。前記のダストシュート口１０は床に掘ったゴミのピット１６に連通している。また、ワークトップの周縁部に水切りを兼ねるすべり止め部１１が形成されている（図４参照）。ワークトップ下方には戸付きキャビネットが設けられている。このキャビネットには引出し及び／又は棚が設けられ、調合用ボール、くし、はけ、グローブ等の調合道具類の収納に使用される。
【００１９】
次に、本発明に使用するカラー剤と、その収納の仕方、使いかけカラー剤の吊下方法について説明する。髪の色を変える施術（ヘヤマニキュア，ヘヤカラー、ブリーチなどを含む）に使用するカラー剤には、永久染毛剤としてのアルカリ・カラー剤とヘヤマニキュアとして酸性カラー剤の２タイプがある。メーカーとしてはウエラ、ホーユー、ミルボン、シュワルツコフなどの４社が知られている。各社ごとに、ヘヤカラーの色を明度と色調等を基準にしてアイテムが構成されており、番号（色番という）で系統的に区別しており、その色番号は、通例、商品（カラー剤）を選ぶ際の参考となっているが、その区別の仕方は各社で若干異なっている。例えば、ウエラ製品では明度は１〜１４、色味は０〜８（０＝ナチュラル、１＝アッシュ、２＝マット、３＝イエローゴールド、４＝カッパーレッド、５＝レッドバイオレット、６＝ブルーバイオレット、７＝ブラウン、８＝ブルーシルバー）となっている。ホーユー製品は、例えばＡ９／８は、Ａ＝アッシュを意味し、この他にＭ＝マット、Ｇ＝ゴールド、Ｒ＝レッド（ルビー）、Ｎ＝ナチュラルの種類がある。また、“９”は白髪を染める染料の濃さを意味し、“８”は黒髪を明るくするレベルを指している。
【００２０】
ディスプレイ棚１へのカラー剤の収納の仕方は、同じメーカー、同じ箱色別アイテムごとに各１０本づつ、見た目に綺麗になるようにディスプレイ棚１に並べる。
【００２１】
施術者は、上の棚にディスプレイされているカラー剤を箱から出して、図６にも示すチューブ絞り器１３等を使用してカラー剤を調合用ボール等に押し出して使用する。前述したようにカラー剤の調合時に発生する臭気は、排気ダクト１５から強制的に室外に排出される。また使用済みの商品空箱やカラー剤のチューブは、ダストシュートからゴミピット１６に排出されるので、客から見えることなく廃棄し効率よく回収できるものである。
カラー剤が余った際は、その商品があった棚位置の真下のハンガー４に使いかけカラー剤のチューブ１４を引掛けておく。すなわち、縦のラインでアイテムを統一する。このようにすることにより、チューブ１４の底部を常に上にして吊下げ保持することができるので、次回使うチューブの使い勝手が向上し、かつワークトップ上を広く使うことができる。また次回使うときのカラー剤の無駄をなくし、調合する際にカラー剤の選択間違いを少なくすることで施術者の作業効率性が高まるものである。
【００２２】
この発明は、上記実施形態に限定されるものではない。例えば、使いかけカラー剤のチューブを引掛けておくハンガーは、図のようなパイプハンガーではなく、ばねクリップやフック等を使用することができる。ディスプレイ棚１も天井部から吊下げるのではなく、床部に立てた支柱やパネルにより支持可能である。
【図面の簡単な説明】
【００２３】
【図１】この発明の一実施形態を示す美・理容室用ディスプレイ兼収納ユニットの側面縦断面図である。
【図２】同じく、施術スペース側から見た正面図である。
【図３】同じく、施術スペース側から見た斜視図である。
【図４】カウンターテーブルのトップの周縁部を示した部分正面図である。
【図５】使いかけカラー剤のチューブの底を絞って折り曲げた後、ハンガーにチューブの底部を上にして吊下げ保持した状態を示した説明図である。
【図６】チューブ絞り器の一例を示す斜視図である。
【符号の説明】
【００２４】
１  ディスプレイ棚、  ２  調合作業スペース、
３  調合作業用カウンターテーブル、４  使いかけカラー剤を引掛けるハンガー、
５  美・理容室の天井、６  支持フレーム、７  ライト
８  流し、９  湯水混合栓、１０  ダストシュート口、
１１  水切り兼滑り止め突部、
１２  収納キャビネット、１３  チューブ絞り器、１４  チューブ
１５  脱臭用排気ダクト、１６  ゴミピット
【図１】
2005143781.tif 000003
【図２】
2005143781.tif 000004
【図３】
2005143781.tif 000005
【図４】
2005143781.tif 000006
【図５】
2005143781.tif 000007
【図６】
2005143781.tif 000008